(57)【特許請求の範囲】
【請求項１】
後端部をロールステープルの先頭部に剥離可能に接着してロールステープルよりも幅が狭いバンドを該ロールステープルに一周巻き付け、前記バンドの先端部位を前記バンドの外周面に剥離可能に接着してロール状に結束したロールステープルを装填する装填室が形成されたカートリッジ本体と、前記ロールステープルを装填するために前記カートリッジ本体に形成された開口に開閉可能に設けられた蓋とを備え、前記カートリッジ本体にはステープルを打ち出す打出部と、この打出部へステープルを搬送する搬送路とが形成され、前記バンドの先端部が前記蓋を閉じた状態で引き出し可能となっており、前記バンドの先端部を引き出すことにより前記ロールステープルを装填室内で回転させてそのロールステープルの先頭部を前記搬送路内へ誘導するように構成されたロールステープルカートリッジにおいて、
前記ロールステープルの外周を巻いたバンドを跨いで前記ロールステープルを回転可能に支持するロール当接部を前記装填室の内周面に設け、
前記蓋が円弧状に形成され、該蓋の内周面に前記ロール当接部を設け、
前記バンドの外周面が装填室の内周面と前記蓋の内周面とに接触しないようにしたことを特徴とするロールステープルカートリッジ。
【請求項２】
前記ロール当接部は、前記ステープル装填室の内周面に間隙を開けて左右対称に前記装填室に一体に形成された肉厚部であることを特徴とする請求項１に記載のロールステープルカートリッジ。
【発明の詳細な説明】
【０００１】
【発明の属する技術分野】
この発明は、ロールステープルを装填するロールステープルカートリッジに関する。
【０００２】
【従来の技術】
従来から、多数の直線状ステープルを並列に接着してロール状に巻いたロールステープルを使用する電動ステープラが知られている。
【０００３】
ロールステープルは、ステープルカートリッジに収納されており、ステープルを使い終わったときにステープルカートリッジ全体を交換するものが一般的であったが、廃棄物処理にかかる手間やコスト、資源の節約、自然環境の破壊等の問題に鑑み、ロールステープルを装填室に補充できるようにして反復使用を可能としたものが既に提案されている。
【０００４】
このようなものでは、たとえば、図７ないし図９に示すように、先端に引き出し用のタブ部２２が設けられた帯状のバンド２１の後端がロールステープル２０の先頭部２０ａに粘着テープ２３を介して取り付けられている。ここで、この粘着テープ２３の外周面２３Ａが粘着面とされ、ロールステープル２０の先頭部２０aが粘着テープ２３の粘着面２３Ａに剥離可能に接着されている。粘着テープ２３およびバンド２１の幅ｗはロールステープルの幅ｗ２０よりも狭くなっている。
【０００５】
そして、図７および図９に示すように、このバンド２１はロールステープル２０の外周に幅方向の中央に一周に亘って巻き付けられており、バンド２１の先端部位２１ｂは粘着テープ２３の粘着面２３Ａに剥離可能に接着されている。この接着により、バンド２１はロールステープル２０をロール状に結束している。
【０００６】
このようなロールステープル２０のカートリッジ１への装填は、最初に図１０に示すカートリッジ１の前面に設けられた蓋２を開けて、装填室６にロールステープル２０をセットする。この際、蓋２とガイド壁１４との間の隙間１５からタブ部２２が引き出し可能な状態にロールステープル２０をセットする。
【０００７】
次に、蓋２を閉じてタブ部２２を引っ張ることによりバンド２１を引き抜いていく。この引き抜きとともにロールステープル２０は図１１に示すように矢印方向に装填室６内を回転していく。ロールステープル２０がほぼ一回転すると、図１０に示すようにロールステープル２０の先頭部２０ａは誘導口１２ａの位置に来る。さらに、バンド２１が引き抜かれていくと、図１２に示すようにその先頭部２０aは誘導口１２aからガイドテーブル７上に沿って搬送路１２へと誘導されていく。
【０００８】
このステープル先頭部２０ａは、ガイド部１２にステープルが残存する場合にはそのステープル尾部まで案内され、さらにこのタブ部２２を強く引っ張ることにより、粘着テープ２３は、バンド２１と共にステープル先頭部２０ａから剥離されて離脱される。そして、ロールステープル２０の装填が完了することになる。
【０００９】
搬送路１２内へ誘導されたステープルは、詳細を不図示の送り爪等を備えた送り手段３０により搬送路１２の先端の打出部１３に向けて順次搬送されていく。打出部１３では、搬送されたステープルが順次コ字状にフォーミングされ、このコ字状のステープルが図示しないドライバによって打ち出されていく。
【００１０】
【発明が解決しようとする課題】
しかしながら、このロールステープル２０は、図１１に示すように粘着テープ２３の粘着面２３Ａが外周面となっているので、バンド２１を引き出すことによってロールステープル２０が回転していく際に、その粘着面２３Ａが蓋２の内周面２ａやその他の箇所に接着して、バンド２１の引出に大きな力を必要とし、装填性を阻害することがあった。
【００１１】
たとえば、装填室６の内面にこの粘着テープ２３が強く接着されると、この接着を引き剥がすために大きな引出力を要し、これにより紙製のタブ部２２が破損して引き出しが困難となる場合がある。
【００１２】
また、この引き出しに強い力が必要な場合には、引き出しに勢いをつけることが多くなり、これによりロールステープル２０の先頭部２０ａが搬送路１２への入口（誘導口）１２ａ付近に勢いよく突き当たり、その衝撃によりステープルの整列が乱れるなどする場合が生じる。このような場合、搬送路１２は狭いので、この搬送路１２を通じてロールステープル２０の先頭部２０ａを前方の打出部１３まで送り出すことが困難となる場合があった。
【００１３】
この発明の目的は、小さな力でバンドの引き出しが行えるロールステープルカートリッジを提供することにある。
【００１４】
【課題を解決するための手段】
上記目的を達成するため、請求項１の発明は、後端部をロールステープルの先頭部に剥離可能に接着してロールステープルよりも幅が狭いバンドを該ロールステープルに一周巻き付け、前記バンドの先端部位を前記バンドの外周面に剥離可能に接着してロール状に結束したロールステープルを装填する装填室が形成されたカートリッジ本体と、前記ロールステープルを装填するために前記カートリッジ本体に形成された開口に開閉可能に設けられた蓋とを備え、前記カートリッジ本体にはステープルを打ち出す打出部と、この打出部へステープルを搬送する搬送路とが形成され、前記バンドの先端部が前記蓋を閉じた状態で引き出し可能となっており、前記バンドの先端部を引き出すことにより前記ロールステープルを装填室内で回転させてそのロールステープルの先頭部を前記搬送路内へ誘導するように構成されたロールステープルカートリッジにおいて、
前記ロールステープルの外周を巻いたバンドを跨いで前記ロールステープルを回転可能に支持するロール当接部を前記装填室の内周面に設け、
前記バンドの外周面が装填室の内周面に接触しないようにしたことを特徴とする。
【００１５】
請求項２の発明は、前記蓋が円弧状に形成され、前記蓋の内周面にも前記ロール当接部を設けたことを特徴とする。
【００１６】
請求項３の発明は、前記ロール当接部は、前記ステープル装填室の内周面に間隙を開けて左右対称に前記装填室に一体に形成された肉厚部であることを特徴とする。
【００１７】
【発明の実施の形態】
以下、この発明の実施の形態を図面に従って説明する。なお、従来例と同一乃至は均等な部位部材は、同一番号を付して詳細な説明は省略する。
【００１８】
図１〜図５は、この発明の実施の形態に係るステープルカートリッジ１の一例を示している。
【００１９】
このステープルカートリッジ１は、図７に示すロールステープル２０を装填する装填室６を形成したカートリッジ本体４０と、このカートリッジ本体４０に開閉可能に設けられた蓋２と、カートリッジ本体４０の底部に設けられた送り手段３０等とを備えている。
【００２０】
カートリッジ本体４０は、円弧状に形成された後壁４と、この後壁４の両側に一体形成されるとともに下部へいくにしたがって搬送路１２の方向に沿って長くなる一対の側壁４２,４２と、この側壁４２,４２の内側に一体形成され且つ前縁３a,３aが半円弧状に形成されるとともに側壁４２,４２の傾斜面４２a,４２aより前方へ突出した側壁部３,３と、側壁４２,４２の下部に一体的に形成されたガイドテーブル７と、このガイドテーブルの前側であって且つガイドテーブル７の上方に側壁４２,４２間に一体的に形成されたガイド壁１４とを有している。
【００２１】
そして、後壁４と側壁部３,３とガイドテーブル７とで装填室６が形成され、この装填室６の前側にロールステープル２０を装填するための開口４３が形成されている。また、ガイド壁１４とガイドテーブル７とによってステープルを搬送する搬送路１２が形成されている。この搬送路１２の先端にはステープルを打ち出す打出部１３（図１０参照）が設けられている。
【００２２】
ガイド壁１４の後部には前方（図２において左側）に向かって斜め上方に傾斜した傾斜面１４aが形成されている。また、ガイド壁１４の両側には後方へ突出した一対の保持部８,８が設けられている。この保持部８と保持部８との間の離間距離はロールステープル２０のバンド２１（図７参照）の幅より広く設定されている。この保持部８,８の右側（図２において）の上面には円弧状の保持面８ａ,８aが形成されている。
【００２３】
この保持部８,８とガイドテーブル７との間に所定の隙間が形成され、この隙間がステープルを搬送路１２へ案内するガイド搬送路１２bとなっている。保持部８,８の後面及び下面は、緩やかな曲面のガイド面８ｂ,８ｂとなっている。また、保持部８,８の後部と後壁４の下部との間には誘導口１２aが形成され、この誘導口１２aがガイド搬送路１２cの入口となっている。
【００２４】
また、後壁４の内側の両側には、厚みが０.２mm程度の肉厚部からなるロール当接部１０,１０（図面上厚みは誇張されている）が形成され、このロール当接部１０,１０の表面が円弧状の当接面１０a,１０aとなっている。ロール当接部１０とロール当接部１０の間の離間距離はロールステープル２０のバンド２１の幅より広く設定されている。ロール当接部１０の厚みは、ロールステープル２０の粘着テープ２３が後壁４の内周面に接触しないように設定したものであり、０.２mm以上あってもよい。
【００２５】
蓋２は円弧状に形成され、蓋２の後部がカートリッジ本体４０の側壁４２,４２の上部に設けた支軸５,５に軸支されており、蓋２は支軸５,５回りに回動してカートリッジ本体４０の開口４３を開閉するようになっている。
【００２６】
蓋２の内周面２aは円弧状に形成され、この内周面２aの両側には内周面２aに沿って厚みが０.２mm程度の肉厚部からなるロール当接部２Ａ,２Ａが形成され、このロール当接部２Ａ,２Ａの表面が円弧状の当接面２b,２bとなっている。また、ロール当接部２Ａとロール当接部２Ａとの間の離間距離はロールステープル２０のバンド２１の幅より広く設定されている。
【００２７】
蓋２の先端の中央部には、蓋２の周方向へ突出した突出部１１が形成されている。この突出部１１の上面（図１において）には周方向に沿って延びた３つのリブ１１Ｒが形成されている。各リブ１１Ｒの上部には、図２に示すように保持部８のガイド面８bと同一形状のガイド面１１aと、ガイド壁１４の傾斜面１４aに対向する対向面１１cとが形成されている。そして、図３に示すように蓋２を閉成すると、蓋２の突出部１１が装填室６の保持部８,８の間に入り、リブ１１Ｒのガイド面１１aと保持部８のガイド面８bとが一致され、ガイド壁１４の傾斜面１４aにリブ１１Ｒの対向面１１cが対向し、その傾斜面１４aと対向面１１cとの間に所定の大きさの隙間１５が形成されるようになっている。
【００２８】
この隙間１５の下部の入口１２bが搬送路１２に臨んでおり、この隙間１５がバンド２１を引き出すための引出口となっている。
【００２９】
次に、上記のように構成されるステープルカートリッジ１の作用について説明する。
【００３０】
先ず、図１および図２に示すように、蓋２を開けて図７に示すロールステープル２０を装填室６に入れる。そして、ロールステープル２０のバンド２１をガイド壁１４の傾斜面１４a上に載せた状態にするとともにタブ２２をガイド壁１４上に引き出した状態にして蓋２を閉じる。これにより、バンド２１は誘導口１２aからガイド搬送路１２cを介して隙間１５を通り、タブ２２は引出口である隙間１５から引き出された状態となる。
【００３１】
この状態では、バンド２１の先端部は粘着テープ２３の粘着面２３Ａから剥離され、その粘着面２３Ａが露出して保持部８,８の間またはロール当接部２Ａ,２Ａの間に位置する。
【００３２】
他方、ロール当接部１０,１０の当接面１０a,１０aと保持部８,８の保持面８a,８aとロール当接部２Ａ,２Ａの当接面２b,２bとがロールステープル２０のバンド２１を跨いでロールステープル２０の外周面の両側に当接してロールステープル２０を回転自在に保持している。このため、露出した粘着テープ２３の粘着面２３Ａは図５に示すように蓋２の内周面２aなどに接触しないことになる。
【００３３】
ついで、タブ部２２を引き出していくと、この引き出しとともにロールステープル２０は装填室６内を矢印方向に回転していく。この際、当接面１０a,１０a,２b,２bおよび保持面８a,８aがバンド２１を跨いでロールステープル２０の外周面の両側に当接していることにより、粘着テープ２３の粘着面２３Ａが装填室６の内周面に接触することなく、ロールステープル２０は回転していく。
【００３４】
ロールステープル２０の先頭部２０ａは、装填室６の内周面に沿ってほぼ一回転した後、タブ部２２の引き出しとともに誘導口１２ａからガイド搬送路１２bを介して搬送路１２へと導入されていく。
【００３５】
ここで、ガイドテーブル７上を誘導されたロールステープル２０の先頭部２０ａは、搬送路１２内に残存しているステープルの後尾に突き当たって前進が停止される。
【００３６】
ここで、タブ部２２を強く引くことにより、バンド２１が粘着テープ２３とともにロールステープル２０の先頭部２０ａから剥離されて取り出され、ロールステープル２０の装填が完了される。なお、搬送路１２内にステープルが残存していない場合には、搬送路１２内の所定位置までその先頭部２０ａが送り込まれることになる。
【００３７】
このタブ部２２を引き抜く一連の操作において、ロールステープル２０の回転が粘着テープ２３の粘着面２３Ａにより阻害されることが無い。これにより、タブ部２２の引き抜きに要する力（引抜荷重）は粘着テープ２３をロールステープル２０から剥離するのに必要な力のみでよいことになり、タブ部２２の引き出しに大きな力を必要とすることがない。また、タブ部２２が破損して引き出し不能となったり、引き出し力が強すぎて先頭部２０ａがガイド部１２に勢いよく突き当たることがない。これにより、ロールステープル２０を装填する際のトラブルが実質的になくなる。
【００３８】
上記実施形態では、バンド２１を粘着テープ２３を介してロールステープル２０の先頭部２０aに剥離可能に接着しているが、バンド２１の後部の外周面に接着剤を塗布して粘着面を形成し、この粘着面の一部をロールステープル２０の先頭部２０aに剥離可能に接着させるとともに、このバンド２１をロールステープル２０を１周巻回せてバンド２１の先端部を前記粘着面の他の部分に剥離可能に接着させてもよい。
【００３９】
図６は他のロールステープル１２０を示したものであり、このロールステープル１２０は、バンド２１の後端部２１ａの内側に接着面２１cを形成し、この接着面にロールステープル２０の先頭部２０aに接着させ、バンド２１の先端部２１bの内側に接着面２１dを形成し、この接着面２１cをバンド２１の後端部２１ａの外側面に接着させるようにしたものある。
【００４０】
このロールステープル１２０を上記と同様にしてステープルカートリッジ１に装填するが、このロールステープル１２０のバンド２１の引き出しの際に、バンド２１の外周面が装填室６の内周面に接触することがない。このため、そのバンド２１の引き出しを円滑に行うことができる。
【００４１】
【変形例１】
以上の実施例では、当接部１０,１０は、蓋２又は後壁４と一体成形の肉厚部であったが、段差が設けられれば、肉厚部に限定されない。
【００４２】
例えば、蓋２又は後壁４の内周面２ａにバンド２１の幅よりも広い間隔を開けて帯状のフィルム又はシートなど貼着させて当接部１０,１０,２Ａ,２Ａを設けてもよい。なお、このフィルムの厚みは０．２mm程度あれば十分な効果を奏するがこの厚みは更に厚くてもよい。
【００４３】
【変形例２】
また、これらのフィルム又はシートとして、摩擦抵抗性の低いものを用いることがよい。これにより、ロールステープル２０の外周面がそれらフィルムまたはシートに接触しても、摩擦抵抗が少ないので、ロールステープル２０の回転が円滑に行える。このような表面材としては、テフロンフィルムなどを例示することができる。
【００４４】
【発明の効果】
この発明によれば、小さな力でバンドの引き出しが行え、ロールステープルの装填の際の操作性が向上される。
【図面の簡単な説明】
【図１】この発明のステープルカートリッジの蓋を開放した状態の斜視図である。
【図２】図１のステープルカートリッジの蓋を開放した状態の側断面を模式的に示した側断面図である。
【図３】図２のステープルカートリッジの蓋を閉じた状態の側断面図である。
【図４】図２のステープルカートリッジへロールステープルを装着した場合の側断面図である。
【図５】図４のＸ−Ｘで切断した場合の部分端面図である。
【図６】他のロールステープルを示した説明図である。
【図７】ロールステープルの概略斜視図である。
【図８】図７のロールステープルのバンドの結縛をほどいた状態の斜視図である。
【図９】ロールステープルがバンドで結束された状態を示した説明図である。
【図１０】従来のステープルカートリッジを示した説明図である。
【図１１】バンドが引き出されてロールステープルが回転していく状態を示した説明図である。
【図１２】バンドの引き抜きによってロールステープルの先頭部が搬送路へ搬送された状態を示した説明図である。
【符号の説明】
１        ステープルカートリッジ
２        蓋
２ａ        内周面
６        ステープル装填室
１０        ロール当接部
１２        ガイド部
２０        ロールステープル
２１        バンド
【図１】
0004802411.tif 000002
【図２】
0004802411.tif 000003
【図３】
0004802411.tif 000004
【図４】
0004802411.tif 000005
【図５】
0004802411.tif 000006
【図６】
0004802411.tif 000007
【図７】
0004802411.tif 000008
【図８】
0004802411.tif 000009
【図９】
0004802411.tif 000010
【図１０】
0004802411.tif 000011
【図１１】
0004802411.tif 000012
【図１２】
0004802411.tif 000013